(57)【要約】【課題】手用マッサージ装置において、簡易な構成により被施療者の手部に対して適切な強さによる空圧施療を付与するようにする。【解決手段】手用マッサージ装置１は、エアバッグユニット１０と、エアポンプ３０と、電磁弁ユニット４０と、第１および第２中継部５４，５５を有する給気用エアホース５０と、第２中継部５５に接続された排気機構６０と、を備えている。排気機構６０は、給気用エアホース５０に流れる空気の一部が第２中継部５５を介して外部に排気されるように構成されている。【選択図】図７
2020031792.tif 000002
【特許請求の範囲】
【請求項１】
被施療者の手指を含む手部を施療するための手用マッサージ装置であって、
筐体と、
前記筐体内に設けられ、被施療者の手部を施療するための複数のエアバッグを有するエアバッグユニットと、
前記筐体内に設けられ、空気を生成しかつ該空気を前記エアバッグユニットに供給するためのエアポンプと、
前記エアバッグユニットおよび前記エアポンプに接続されていて、互いに異なる位置に配置された第１および第２中継部を有する給気用エアホースと、
前記第１中継部に設けられ、前記エアポンプにより生成された空気を前記複数のエアバッグの各々に分配するための電磁弁ユニットと、
前記給気用エアホースの前記第２中継部に接続された排気機構と、を備え、
前記排気機構は、前記給気用エアホースに流れる空気の一部が前記第２中継部を介して外部に排気されるように構成されている、手用マッサージ装置。
【請求項２】
請求項１に記載の手用マッサージ装置において、
前記給気用エアホースは、前記エアポンプと前記電磁弁ユニットとの間を接続するための基幹ホース部を有しており、
前記第２中継部は、前記基幹ホース部に設けられている、手用マッサージ装置。
【請求項３】
請求項１に記載の手用マッサージ装置において、
前記エアバッグユニットは、
被施療者の指を施療するための少なくとも１つの第１エアバッグと、
被施療者の指以外の手部を施療するための少なくとも１つの第２エアバッグと、を有し、
前記給気用エアホースは、
前記エアポンプと前記電磁弁ユニットとを接続するための基幹ホース部と、
前記電磁弁ユニットと前記第１エアバッグとを接続するための第１分岐ホース部と、
前記電磁弁ユニットと前記第２エアバッグとを接続するための第２分岐ホース部と、を有し、
前記第２中継部は、前記第１分岐ホース部に設けられている、手用マッサージ装置。
【請求項４】
請求項１〜３のいずれか１項に記載の手用マッサージ装置において、
前記排気機構は、前記第２中継部を介して外部に排気される空気の量を調整するための調整部を有している、手用マッサージ装置。
【発明の詳細な説明】
【技術分野】
【０００１】
本発明は、手用マッサージ装置に関するものである。
【背景技術】
【０００２】
従来から、例えば特許文献１のような、被施療者の手指を含む手部を施療するための手用マッサージ装置（手袋型マッサージ器）が知られている。
【０００３】
この特許文献１の手用マッサージ装置は、筐体と、被施療者の手部を施療するための複数のエアバッグと、空気を生成しかつ該空気を複数のエアバッグに供給するためのエアポンプと、複数のエアバッグおよびエアポンプに接続された給気用エアホースと、エアポンプにより生成された空気を複数のエアバッグの各々に分配するための電磁弁ユニットと、を備えている。
【先行技術文献】
【特許文献】
【０００４】
【特許文献１】実用新案登録第３２１６０９０号公報
【発明の概要】
【発明が解決しようとする課題】
【０００５】
特許文献１の手用マッサージ装置では、エアポンプを駆動させて所定の給気時間が経過すると、エアポンプからエアバッグに向かって流れる空気の圧力が最大となる。そして、上記所定の給気時間が経過した場合には、その後にエアポンプの駆動を継続してもエアバッグの内圧が最大となる状態が維持される。かかる状態において、被施療者の手指を含む手部は、内圧が最大となった状態のエアバッグにより押圧される。一方、人体の手指には知覚神経や運動神経が特に集中していることから、手指を圧迫しすぎると被施療者が不快に感じてしまう場合がある。すなわち、エアバッグの内圧が最大となった状態では、被施療者が手部に対するエアバッグにおける押圧力の強さ（空圧施療の強さ）により不快に感じるおそれがあった。
【０００６】
本発明は斯かる点に鑑みてなされたものであり、その目的は、簡易な構成により被施療者の手部に対して適切な強さによる空圧施療を付与することにある。
【課題を解決するための手段】
【０００７】
上記の目的を達成するために、本発明の第１の形態は、被施療者の手指を含む手部を施療するための手用マッサージ装置に係るものであり、筐体と、筐体内に設けられ、被施療者の手部を施療するための複数のエアバッグを有するエアバッグユニットと、筐体内に設けられ、空気を生成しかつ空気をエアバッグユニットに供給するためのエアポンプと、エアバッグユニットおよびエアポンプに接続されていて、互いに異なる位置に配置された第１および第２中継部を有する給気用エアホースと、第１中継部に設けられ、エアポンプにより生成された空気を複数のエアバッグの各々に分配するための電磁弁ユニットと、給気用エアホースの第２中継部に接続された排気機構と、を備えている。そして、排気機構は、給気用エアホースに流れる空気の一部が第２中継部を介して外部に排気されるように構成されていることを特徴とする。
【０００８】
この第１の形態において、排気機構は、給気用エアホースに流れる空気の一部が第２中継部を介して外部に排気されるように構成されている。かかる構成により、エアポンプからエアバッグユニットに向かって流れる空気の流入圧力が低下する。その結果、各エアバッグは、エアポンプの給気時間にかかわらず、内圧が最大となる状態よりも低い状態となる。すなわち、被施療者の手部に対するエアバッグユニットの押圧力の強さ（空圧施療の強さ）が抑制される。このため、被施療者は、エアバッグユニットによる空圧施療を受けたときであっても、知覚神経および運動神経が特に集中する手指を含む手部に対して不快に感じないようになる。したがって、第１の形態では、簡易な構成により被施療者の手部に対して適切な強さによる空圧施療を付与することができる。
【０００９】
第２の形態は、第１の形態において、給気用エアホースは、エアポンプと電磁弁ユニットとの間を接続するための基幹ホース部を有しており、第２中継部は、基幹ホース部に設けられていることを特徴とする。
【００１０】
この第２の形態では、第２中継部が基幹ホース部に設けられているため、排気機構によりエアポンプからエアバッグユニットにおける全てのエアバッグに向かって流れる空気の流入圧力が低下するようになる。その結果、エアバッグユニット全体としての押圧力の強さ（空圧施療の強さ）が抑制される。これにより、被施療者の手部全体に対して適切な強さによる空圧施療を付与することができる。
【００１１】
第３の形態は、第１の形態において、エアバッグユニットは、被施療者の指を施療するための第１エアバッグと、被施療者の指以外の手部を施療するための少なくとも１つの第２エアバッグと、を有している。給気用エアホースは、エアポンプと電磁弁ユニットとを接続するための基幹ホース部と、電磁弁ユニットと第１エアバッグとを接続するための第１分岐ホース部と、電磁弁ユニットと第２エアバッグとを接続するための第２分岐ホース部と、を有している。そして、第２中継部は、第１分岐ホース部に設けられていることを特徴とする。
【００１２】
この第３の形態において、排気機構は、給気用エアホースの第１分岐ホース部に流れる空気の一部が第２中継部を介して外部に排気されるように構成されている。かかる構成により、エアポンプから第１エアバッグのみに向かって流れる空気の流入圧力が低下する。その結果、第１エアバッグは、エアポンプの給気時間にかかわらず、内圧が最大となる状態よりも低い状態となる。すなわち、被施療者の手指に対する第１エアバッグの押圧力の強さ（空圧施療の強さ）が抑制される。このため、被施療者は、第１エアバッグによる空圧施療を受けたときであっても、手指に対して不快に感じないようになる。したがって、第３の形態では、被施療者の手指に対して適切な強さによる空圧施療を付与することができる。
【００１３】
第４の形態は、第１〜第３の形態のいずれか１つの形態において、排気機構は、第２中継部を介して外部に排気される空気の量を調整するための調整部を有していることを特徴とする。
【００１４】
この第４の形態では、調整部により、手部に対するエアバッグユニットの押圧力の強さ（空圧施療の強さ）を被施療者の好みに応じて適宜変更することができる。
【発明の効果】
【００１５】
以上説明したように、本発明によると、簡易な構成により被施療者の手部に対して適切な強さによる空圧施療を付与することができる。
【図面の簡単な説明】
【００１６】
【図１】図１は、第１実施形態に係る手用マッサージ装置を正面から見て示す全体斜視図である。
【図２】図２は、第１実施形態に係る手用マッサージ装置の正面図である。
【図３】図３は、手用マッサージ装置を背面から見て示す全体斜視図である。
【図４】図４は、展開状態におけるエアバッグユニットの構成を示す斜視図である。
【図５】図５は、エアバッグユニットの各エアバッグと被施療者の手部（左手）との位置関係を概略的に示す概略図である。
【図６】図６は、手用マッサージ装置の内部構造を概略的に示す概略図である。
【図７】図７は、手用マッサージ装置の機能構成を示すブロック図である。
【図８】図８は、第１実施形態におけるエアバッグユニット、エアポンプ、給気用エアホース、電磁弁ユニット、および排気機構の接続状態を概略的に示す概略図である。
【図９】図９は、第２実施形態におけるエアバッグユニット、エアポンプ、給気用エアホース、電磁弁ユニット、および排気機構の接続状態を概略的に示す図８相当図である。
【発明を実施するための形態】
【００１７】
以下、本発明の各実施形態を図面に基づいて詳細に説明する。以下の各実施形態の説明は、本質的に例示に過ぎず、本発明、その適用物或いはその用途を制限することを意図するものではない。
【００１８】
［第１実施形態］
図１〜図３は、本発明の第１実施形態に係る手用マッサージ装置１の全体を示している。この手用マッサージ装置１は、被施療者の手指を含む手部を施療するためのものである。
【００１９】
以下の説明において、図２に示した手用マッサージ装置１の視認側を前側（正面側）をとする一方、図３に示した手用マッサージ装置１の視認側を後側（背面側）として定めるものとする。また、右側および左側とは、手用マッサージ装置１を正面側から見たときの左右方向における位置関係を表すものとする。
【００２０】
（筐体）
図１〜図３に示すように、手用マッサージ装置１は、筐体２を備えている。筐体２は、主に上カバー部３および下カバー部４により構成されている。上カバー部３および下カバー部４の各々は、例えばプラスチック材料からなる。上カバー部３および下カバー部４は、図示しない締結部材により互いに固定されている。
【００２１】
図３に示すように、下カバー部４には、その下面から下方に向かって突出した略柱状の脚部５，５，…が設けられている。この脚部５，５，…により、手用マッサージ装置１を例えば机の上に載置することが可能となっている。なお、図３では１つの脚部５のみを図示している。
【００２２】
（挿入部）
次に、図１〜図３に示すように、手用マッサージ装置１は、挿入部６を備えている。挿入部６は、被施療者の手指および手指以外の手部（主に手の甲および手のひら）を筐体２内に収容可能に構成されている。挿入部６は、表側が例えば図示しないクッション材および布材により覆われた状態となるように構成されている。
【００２３】
挿入部６は、第１挿入部７，７，…および第２挿入部８を有している。
【００２４】
第１挿入部７，７，…は、被施療者の親指を除く４本の各手指をその周囲から覆うように構成されている。第１挿入部７，７，…は、筐体２の後側（背面側）に配設されている。各第１挿入部７は、筐体２内において前後方向略中央から後側（背面側）に向かって略円形状に貫通形成されている。第１挿入部７，７，…は、左右方向に互いに間隔をあけて配置されている。
【００２５】
第２挿入部８は、筐体２内において被施療者の手の甲および手のひらを上下方向から挟み込むように構成されている。第２挿入部８は、筐体２の前側（正面側）に配設されていて、第１挿入部７，７，…と連続している。第２挿入部８は、上下方向の間隔が筐体２の前後方向略中央から筐体２の前側に向かって上下方向に大きくなるように形成されている。
【００２６】
（エアバッグユニット）
図４および図５に示すように、手用マッサージ装置１は、エアバッグユニット１０を備えている。
【００２７】
エアバッグユニット１０は、被施療者の手部を施療するための複数のエアバッグを有している。具体的に、エアバッグユニット１０は、被施療者の各手指を施療するための第１エアバッグ１１ａ〜１１ｄと、被施療者の手の甲および手のひらを上下方向から施療するための第２エアバッグ１２ａ〜１２ｈと、を有している。
【００２８】
図４に示すように、第１エアバッグ１１ａ〜１１ｄおよび第２エアバッグ１２ａ〜１２ｈは、平板状に形成された平板部１３と一体形成されている。第１エアバッグ１１ａ〜１１ｄおよび第２エアバッグ１２ａ〜１２ｈは、挿入部６に組み込まれる前の展開状態において平板部１３の平面方向に沿って配置されている。
【００２９】
第１エアバッグ１１ａ〜１１ｄの各々は、例えば軟質樹脂材やナイロンのシート材を用いて圧着成形等により製造される。第１エアバッグ１１ａ〜１１ｄの各々は、前後方向に延びる略円筒状に折り曲げ形成されている（図４参照）。図示しないが、第１エアバッグ１１ａ〜１１ｄの各々は、上記のように折り曲げられた状態で各第１挿入部７の内部に配設されている。
【００３０】
第２エアバッグ１２ａ〜１２ｈの各々は、例えば軟質樹脂材やナイロンのシート材を用いてブロー成形等により製造される。図示しないが、第２エアバッグ１２ａ〜１２ｄは、第２挿入部８の下部に配置されている一方、第２エアバッグ１２ｅ〜１２ｈは、第２挿入部８の上部に配置されている。
【００３１】
図４に示すように、第２エアバッグ１２ａ，１２ｅの各々は、展開状態において長辺が左右方向に沿って延びるように略矩形状に形成されている。第２エアバッグ１２ａ，１２ｅの各々は、例えば第１エアバッグ１１ａ〜１１ｄの近傍に位置しかつ被施療者の親指を除く各手指の付け根に対応する位置に配設されている。
【００３２】
第２エアバッグ１２ｃ，１２ｇの各々は、展開状態において略円形状に形成されている。第２エアバッグ１２ｃ，１２ｇの各々は、例えば被施療者の手部における中手骨に対応する位置に配設されている。
【００３３】
第２エアバッグ１２ｂ，１２ｄ，１２ｆ，１２ｈの各々は、展開状態において第２エアバッグ１２ｃ，１２ｇの各々の内径よりも小さい内径となる略円形状に形成されている。第２エアバッグ１２ｂ，１２ｄ，１２ｆ，１２ｈの各々は、例えば被施療者の手部における中手骨に対応する位置に配設されている。また、第２エアバッグ１２ｂ，１２ｄの各々は、第２エアバッグ１２ｃの左右両側に配置されている。第２エアバッグ１２ｆ，１２ｈの各々は、第２エアバッグ１２ｇの左右両側に配置されている。
【００３４】
（プラグ差込口）
図１，図３，および図６に示すように、筐体２には、プラグ差込口２０が設けられている。プラグ差込口２０は、その側部が筐体２の左側面から露出するように構成されている。手用マッサージ装置１は、プラグ差込口２０に差し込まれた電源プラグ２１（図１参照）から電力の供給を受けることが可能となっている。
【００３５】
（制御基板）
筐体２内には、制御基板２２が設けられている。制御基板２２は、例えばポリ塩化ビフェニル(ＰＣＢ）の多層構造からなり、略矩形状に形成されている。制御基板２２は、締結部材により上カバー部３の内側に取り付けられている。
【００３６】
制御基板２２には、電源用導電線２３ａ、エアポンプ用導電線２３ｂ、電磁弁用導電線２３ｃ、およびヒーター用導電線２３ｄが接続されている。図７に示すように、電源用導電線２３ａは、制御基板２２と後述するプラグ差込口２０とを電気的に接続している。エアポンプ用導電線２３ｂは、制御基板２２と後述するエアポンプ３０とを電気的に接続している。電磁弁用導電線２３ｃは、制御基板２２と後述する第１〜第３電磁弁４１〜４３の各々とを電気的に接続している。ヒーター用導電線２３ｄは、制御基板２２と後述するヒーター２４とを電気的に接続している。
【００３７】
（ヒーター）
図示しないが、筐体２の第２挿入部８には、ヒーター２４（図７参照）が配設されている。ヒーター２４は、第２挿入部８に収容した被施療者の手の甲および手のひらを暖めるためのものである。ヒーター２４は、例えば銅線などの金属線からなる。
【００３８】
（操作部）
上カバー部３には、電源操作部２５ａ、ヒーター操作部２５ｂ、およびエア操作部２５ｃが設けられている。電源操作部２５ａは、手用マッサージ装置１の電源ＯＮ／ＯＦＦおよび各種マッサージコースを選択するためのものである。ヒーター操作部２５ｂは、ヒーター２４を動作させるためのものである。エア操作部２５ｃは、エアバッグユニット１０における空圧施療の強弱調整を行うためのものである。
【００３９】
（エアポンプ）
次に、図６に示すように、手用マッサージ装置１は、エアポンプ３０を備えている。エアポンプ３０は、空気を生成しかつ該空気をエアバッグユニット１０の各エアバッグに供給するためのものである。
【００４０】
（電磁弁ユニット）
図６に示すように、手用マッサージ装置１は、電磁弁ユニット４０を備えている。電磁弁ユニット４０は、エアポンプ３０により生成された空気をエアバッグユニット１０の各エアバッグに分配するためのものである。図８に示すように、電磁弁ユニット４０は、後述する給気用エアホース５０の第１中継部５４に配設されている。
【００４１】
電磁弁ユニット４０は、第１〜第３電磁弁４１〜４３により構成されている。図７に示すように、第１〜第３電磁弁４１〜４３の各々は、電磁弁用導電線２３ｃを介して制御基板２２と電気的に接続されている。図８に示すように、第１〜第３電磁弁４１〜４３は、互いに連通した状態で各々の内部に空気が流れるように構成されている。
【００４２】
（給気用エアホース）
図６に示すように、手用マッサージ装置１は、給気用エアホース５０を備えている。図８に示すように、給気用エアホース５０は、エアバッグユニット１０とエアポンプ３０との間に配置されている。給気用エアホース５０は、主に基幹ホース部５０ａと、第１分岐ホース部５１および第２分岐ホース部５２，５２により構成されている。
【００４３】
基幹ホース部５０ａは、エアポンプ３０と電磁弁ユニット４０とを接続している。第１分岐ホース部５１は、第１電磁弁４１と、第１エアバッグ１１ｃおよび第２エアバッグ１２ｃ，１２ｇの各々とを接続している。一方の第２分岐ホース部５２は、第２電磁弁４２と、第１エアバッグ１１ｂおよび第２エアバッグ１２ａ，１２ｅの各々とを接続している。また、他方の第２分岐ホース部５２は、第３電磁弁と、第１エアバッグ１１ａ，１１ｄおよび第２エアバッグ１２ｂ，１２ｄ，１２ｆ，１２ｈの各々とを接続している。
【００４４】
給気用エアホース５０は、互いに異なる位置に配置された第１および第２中継部５４，５５を有している。この実施形態において、第１中継部５４は、基幹ホース部５０ａと、第１分岐ホース部５１および第２分岐ホース部５２，５２の各々との間に配置されている。第２中継部５５は、基幹ホース部５０ａの中間部に配置されている。また、第２中継部５５には、基幹ホース部５０ａに流れる空気の一部を後述する排気機構６０に向かって分岐させるためのＴ字状のジョイント部材５６が設けられている。
【００４５】
（排気機構）
図６に示すように、手用マッサージ装置１は、排気機構６０を備えている。図８に示すように、排気機構６０は、排気用エアホース６１を有している。排気用エアホース６１の一端部は、第２中継部５５に位置するジョイント部材５６に接続されている。すなわち、排気機構６０は、給気用エアホース５０の第２中継部５５に設けられている。そして、排気機構６０は、基幹ホース部５０ａに流れる空気の一部が第２中継部５５のジョイント部材５６を介して排気用エアホース６１の他端部から外部に排気されるように構成されている。
【００４６】
図６および図８に示すように、排気機構６０は、調整部６２を有している。調整部６２は、排気用エアホース６１の他端部に接続されている。調整部６２は、第２中継部５５のジョイント部材５６を介して排気用エアホース６１の他端部から外部に排気される空気の量を調整するように構成されている。
【００４７】
調整部６２は、例えば調整ネジからなり、排気用エアホース６１から排気される空気の排気量を段階的（例えば３段階ないし５段階）に調整可能となっている。図３に示すように、調整部６２は、例えば上カバー部３の背面側に配置されている。具体的に、調整部６２は、第１挿入部７の上側に配置されていて、上カバー部３から外部に露出している。
【００４８】
［第１実施形態の作用効果］
以上のように、第１実施形態に係る手用マッサージ装置１において、排気機構６０は、給気用エアホース５０に流れる空気の一部が第２中継部５５を介して外部に排気されるように構成されている。かかる構成により、エアポンプ３０からエアバッグユニット１０に向かって流れる空気の流入圧力が低下する。その結果、第１エアバッグ１１ａ〜１１ｄおよび第２エアバッグ１２ａ〜１２ｈの各々は、エアポンプ３０の給気時間にかかわらず、内圧が最大となる状態よりも低い状態となる。すなわち、被施療者の手部に対するエアバッグユニット１０の押圧力の強さ（空圧施療の強さ）が抑制される。このため、被施療者は、エアバッグユニット１０による空圧施療を受けたときであっても、知覚神経および運動神経が特に集中する手指を含む手部に対して不快に感じないようになる。したがって、第１実施形態に係る手用マッサージ装置１では、簡易な構成により被施療者の手部に対して適切な強さによる空圧施療を付与することができる。
【００４９】
また、給気用エアホース５０は、エアポンプ３０と電磁弁ユニット４０との間を接続するための基幹ホース部５０ａを有しており、第２中継部５５は、基幹ホース部５０ａに設けられている。このため、排気機構６０によりエアポンプ３０からエアバッグユニット１０における全てのエアバッグに向かって流れる空気の最大圧力が下がるようになる。したがって、被施療者の手部全体に対して適切な強さによる空圧施療を付与することができる。
【００５０】
また、排気機構６０は、第２中継部５５を介して外部に排気される空気の量を調整するための調整部６２を有している。この調整部６２により、手部に対するエアバッグユニット１０の押圧力の強さ（空圧施療の強さ）を被施療者の好みに応じて適宜変更することができる。
【００５１】
［第２実施形態］
図９は、本発明の第２実施形態に係る手用マッサージ装置１を示す。この実施形態では、上記第１実施形態と比較して、主にエアバッグユニット１０と電磁弁ユニット４０との接続状態、ならびに排気機構６０の取付位置が異なっている。なお、この実施形態に係る手用マッサージ装置１の他の構成は、上記第１実施形態に係る手用マッサージ装置１の構成と同様である。このため、以下の説明では、図１〜図８と同じ部分について同じ符号を付し、その詳細な説明を省略する。
【００５２】
第２実施形態において、第１分岐ホース部５１および第２分岐ホース部５２，５２によるエアバッグユニット１０と電磁弁ユニット４０との接続状態は以下のとおりである。
【００５３】
図９に示すように、第１分岐ホース部５１は、第１電磁弁４１と第１エアバッグ１１ａ〜１１ｄの各々とを接続している。一方の第２分岐ホース部５２は、第２電磁弁４２と第２エアバッグ１２ａ〜１２ｄの各々とを接続している。また、他方の第２分岐ホース部５２は、第３電磁弁４３と第２エアバッグ１２ｅ〜１２ｈの各々とを接続している。なお、第２実施形態の基幹ホース部５０ａは、上記第１実施形態と同様に、エアポンプ３０と電磁弁ユニット４０とを接続している。
【００５４】
また、第２中継部５５は、第１電磁弁４１と第１エアバッグ１１ａ〜１１ｄの各々との間に配設されている。すなわち、第２中継部５５は、第１分岐ホース部５１の中間部に配置されている。第２中継部５５には、ジョイント部材５６が設けられている。ジョイント部材５６には、排気用エアホース６１の一端部が接続されている。
【００５５】
以上のように、第２実施形態に係る手用マッサージ装置１において、排気機構６０は、第１分岐ホース部５１に流れる空気の一部が第２中継部５５を介して外部に排気されるように構成されている。かかる構成により、エアポンプ３０から第１エアバッグ１１ａ〜１１ｄのみに向かって流れる空気の流入圧力が低下する。その結果、第１エアバッグ１１ａ〜１１ｄの各々は、エアポンプ３０の給気時間にかかわらず、内圧が最大となる状態よりも低い状態となる。すなわち、被施療者の手指に対する第１エアバッグ１１ａ〜１１ｄの押圧力の強さ（空圧施療の強さ）が抑制される。このため、被施療者は、第１エアバッグ１１ａ〜１１ｄによる空圧施療を受けたときであっても、手指に対して不快に感じないようになる。したがって、第２実施形態に係る手用マッサージ装置１では、被施療者の手指に対して適切な強さによる空圧施療を付与することができる。
【００５６】
［その他の実施形態］
上記各実施形態では、第１エアバッグ１１ａ〜１１ｄを設けた形態を示したが、この形態に限られない。すなわち、第１エアバッグ１１ａ〜１１ｄのうち少なくとも１つのエアバッグを設けた形態としてもよい。
【００５７】
また、上記各実施形態では、第２エアバッグ１２ａ〜１２ｈを設けた形態を示したが、この形態に限られない。すなわち、第２エアバッグ１２ａ〜１２ｈのうち少なくとも１つのエアバッグを設けた形態としてもよい。
【００５８】
また、上記各実施形態では、ヒーター２４を設けた形態を示したが、ヒーター２４を設けない形態としてもよい。
【００５９】
また、上記各実施形態では、調整部６２（調整ネジ）を上カバー部３の背面側に配置した形態を示したが、この形態に限られない。例えば、調整ネジを上カバー部３の右側および左側のいずれか一方に配置した形態としてもよい。あるいは、調整ネジを下カバー部４に配置した形態としてもよい。
【００６０】
また、上記各実施形態において、例えばアロマオイル等が浸み込んだ不織布（図示せず）を、排気用エアホース６１の他端部近傍に設けてもよい。これにより、上記アロマオイルの香りを、空気の一部を排気用エアホース６１の他端部から外部に排気するときに手用マッサージ装置１の周囲に漂わせることが可能となる。さらに、かかる形態では、上記アロマオイルの香りの量を、調整部６２で外部に排気する空気の量を調整することにより適宜変更することも可能である。
【００６１】
以上、本発明についての実施形態を説明したが、本発明は上述の実施形態のみに限定されず、発明の範囲内で種々の変更が可能である。
【産業上の利用可能性】
【００６２】
本発明は、被施療者の手指を含む手部を施療するための手用マッサージ装置として産業上の利用が可能である。
【符号の説明】
【００６３】
１：手用マッサージ装置
２：筐体
３：上カバー部
４：下カバー部
６：挿入部
７：第１挿入部
８：第２挿入部
１０：エアバッグユニット
１１：第１エアバッグ
１２：第２エアバッグ
２２：制御基板
２４：ヒーター
３０：エアポンプ
４０：電磁弁ユニット
４１：第１電磁弁
４２：第２電磁弁
４３：第３電磁弁
５０：給気用エアホース
５０ａ：基幹ホース部
５１：第１分岐ホース部
５２：第２分岐ホース部
５４：第１中継部
５５：第２中継部
５６：ジョイント部材
６０：排気機構
６１：排気用エアホース
６２：調整部
【図１】
2020031792.tif 000003
【図２】
2020031792.tif 000004
【図３】
2020031792.tif 000005
【図４】
2020031792.tif 000006
【図５】
2020031792.tif 000007
【図６】
2020031792.tif 000008
【図７】
2020031792.tif 000009
【図８】
2020031792.tif 000010
【図９】
2020031792.tif 000011